(57)【要約】      （修正有）【課題】液晶パネルの光出射側に設けられた枠体に起因する画質劣化の発生を抑制することが可能な液晶表示装置および投射型表示装置を提供する。【解決手段】液晶表示装置は、映像に対応する光を出射する有効画素領域１１ａを含む液晶パネル１１と、液晶パネルの光出射側に設けられると共に、液晶パネル１１の有効画素領域１１ａに対向して開口１４ａを有する枠体１４とを備える。枠体１４の開口１４ａの縁部は、緑色光に対して１．５％未満の反射率を有する低反射材料からなる。【選択図】図４
2014102410.tif 000002
【特許請求の範囲】
【請求項１】
映像に対応する光を出射する有効画素領域を含む液晶パネルと、
前記液晶パネルの光出射側に設けられると共に、前記液晶パネルの前記有効画素領域に対向して開口を有する枠体とを備え、
前記枠体の前記開口の縁部は、緑色光に対して１．５％未満の反射率を有する低反射材料からなる
液晶表示装置。
【請求項２】
前記枠体の前記縁部は、前記液晶パネルの光出射面を臨む傾斜面を有する
請求項１に記載の液晶表示装置。
【請求項３】
前記傾斜面は、前記光出射面の垂線に対して鋭角を成す平面である
請求項２に記載の液晶表示装置。
【請求項４】
前記傾斜面は曲面である
請求項２に記載の液晶表示装置。
【請求項５】
前記枠体のうちの少なくとも前記縁部は、前記低反射率材料からなる薄膜により覆われている
請求項１に記載の液晶表示装置。
【請求項６】
前記枠体は、前記低反射材料から構成されている
請求項１に記載の液晶表示装置。
【請求項７】
前記枠体の前記縁部の高さが、８０μｍ以下である
請求項１に記載の液晶表示装置。
【請求項８】
前記液晶パネルは透過型である
請求項１に記載の液晶表示装置。
【請求項９】
映像に対応する光を出射する有効画素領域を含む液晶パネルと、
前記液晶パネルの光出射側に設けられると共に、前記液晶パネルの前記有効画素領域に対向して開口を有する枠体とを備え、
前記枠体の前記開口の縁部は、前記液晶パネルの光出射面を臨む傾斜面を有する
液晶表示装置。
【請求項１０】
前記傾斜面は、前記光出射面の垂線に対して鋭角を成す平面である
請求項９に記載の液晶表示装置。
【請求項１１】
前記傾斜面は曲面である
請求項９に記載の液晶表示装置。
【請求項１２】
光源と、
前記光源からの光を変調して映像に対応する光を出射する有効画素領域を含む液晶パネルと、
前記液晶パネルの光出射側に設けられると共に、前記液晶パネルの前記有効画素領域に対向して開口を有する枠体と、
前記液晶パネルの出射光に基づいて前記映像を投射する投射レンズとを備え、
前記枠体の前記開口の縁部は、緑色光に対して１．５％未満の反射率を有する低反射材料からなる
投射型表示装置。
【請求項１３】
光源と、
前記光源からの光を変調して映像に対応する光を出射する有効画素領域を含む液晶パネルと、
前記液晶パネルの光出射側に設けられると共に、前記液晶パネルの前記有効画素領域に対向して開口を有する枠体と、
前記液晶パネルの出射光に基づいて前記映像を投射する投射レンズとを備え、
前記枠体の前記開口の縁部は、前記液晶パネルの光出射面を臨む傾斜面を有する
投射型表示装置。
【発明の詳細な説明】
【技術分野】
【０００１】
本開示は、ライトバルブ方式のプロジェクタに用いられる液晶表示装置および投射型表示装置に関する。
【背景技術】
【０００２】
一般に、プロジェクタ等として用いられる投射型表示装置では、光源から出射された光に基づいて、透過型（または反射型）の液晶パネルにおいて変調された映像が、投射レンズにより拡大表示される。液晶パネルの光出射側には、液晶パネルを投射型表示装置内部へ装着させるための枠体（外枠）が取り付けられる。この外枠は、液晶パネルの有効画素領域に対向して開口（窓）を有しており、この開口を通じて光が投射レンズ側へ取り出される（例えば、特許文献１，２）。
【先行技術文献】
【特許文献】
【０００３】
【特許文献１】特開２００６−０１８０５５号公報
【特許文献２】特開２００４−０４５６８０号公報
【発明の概要】
【発明が解決しようとする課題】
【０００４】
しかしながら、上記特許文献１，２に記載された投射型映像表示装置では、液晶パネルの出射光が枠体の影響を受け、エッジ部あるいは回路部が表示映像に映り込み、表示映像の画質が劣化するという問題がある。
【０００５】
本開示はかかる問題点に鑑みてなされたもので、その目的は、液晶パネルの光出射側に設けられた枠体に起因する画質劣化の発生を抑制することが可能な液晶表示装置および投射型表示装置を提供することにある。
【課題を解決するための手段】
【０００６】
本開示の第１の液晶表示装置は、映像に対応する光を出射する有効画素領域を含む液晶パネルと、液晶パネルの光出射側に設けられると共に、液晶パネルの有効画素領域に対向して開口を有する枠体とを備えたものである。枠体の開口の縁部は、緑色光に対して１．５％未満の反射率を有する低反射材料からなる。
【０００７】
本開示の第２の液晶表示装置は、映像に対応する光を出射する有効画素領域を含む液晶パネルと、液晶パネルの光出射側に設けられると共に、液晶パネルの有効画素領域に対向して開口を有する枠体とを備えたものである。枠体の開口の縁部は、液晶パネルの光出射面を臨む傾斜面を有している。
【０００８】
本開示の第１の投射型表示装置は、光源と、光源からの光を変調して映像に対応する光を出射する有効画素領域を含む液晶パネルと、液晶パネルの光出射側に設けられると共に、液晶パネルの有効画素領域に対向して開口を有する枠体と、液晶パネルの出射光に基づいて映像を投射する投射レンズとを備えたものである。枠体の開口の縁部は、緑色光に対して１．５％未満の反射率を有する低反射材料からなる。
【０００９】
本開示の第２の投射型表示装置は、光源と、光源からの光を変調して映像に対応する光を出射する有効画素領域を含む液晶パネルと、液晶パネルの光出射側に設けられると共に、液晶パネルの有効画素領域に対向して開口を有する枠体と、液晶パネルの出射光に基づいて映像を投射する投射レンズとを備えたものである。枠体の開口の縁部は、液晶パネルの光出射面を臨む傾斜面を有している。
【００１０】
本開示の第１の液晶表示装置および第１の投射型表示装置では、液晶パネルの光出射側に設けられた枠体の開口の縁部が、緑色光に対して１．５％未満の反射率を有する低反射材料からなることにより、液晶パネルの出射光のうち枠体の縁部において反射される光が低減され、この反射光に起因する表示映像への映り込みが軽減される。
【００１１】
本開示の第２の液晶表示装置および第２の投射型表示装置では、液晶パネルの光出射側に設けられた枠体の開口の縁部が、液晶パネルの光出射面を臨む傾斜面を有することにより、液晶パネルの出射光のうち枠体の縁部において反射される光の光路が変換され、この反射光に起因する表示映像への映り込みが軽減される。
【００１２】
尚、本開示において「反射率」とは、光が真空中より物体表面に垂直に入射したときの反射光のエネルギーと入射光のエネルギーとの比（反射光のエネルギー／入射光のエネルギー）を百分率で表したものである。
【発明の効果】
【００１３】
本開示の第１の液晶表示装置および第１の投射型表示装置によれば、液晶パネルの光出射側に設けられた枠体の開口の縁部が、緑色光に対して１．５％未満の反射率を有する低反射材料からなるので、液晶パネルの出射光のうち枠体の縁部における反射光が低減され、表示映像への映り込みを軽減することができる。よって、液晶パネルの光出射側に設けられた枠体に起因する画質劣化の発生を抑制することが可能となる。
【００１４】
本開示の第２の液晶表示装置および第２の投射型表示装置によれば、液晶パネルの光出射側に設けられた枠体の開口の縁部が、液晶パネルの光出射面を臨む傾斜面を有するので、液晶パネルから出射光のうち枠体の縁部における反射光の光路が変換され、表示映像の映り込みを軽減できる。よって、液晶パネルの光出射側に設けられた枠体に起因する画質劣化の発生を抑制することが可能となる。
【図面の簡単な説明】
【００１５】
【図１】本開示の一実施の形態に係る投射型表示装置の全体構成を表す図である。
【図２】図１に示した液晶表示デバイスの分解斜視図である。
【図３】図１に示した液晶表示デバイスの断面図である。
【図４】図１に示した液晶表示デバイスの要部構成を表す断面模式図である。
【図５】図１に示した液晶表示デバイスの外枠縁部付近の拡大断面図である。
【図６】図１に示した液晶表示デバイスの外枠縁部における反射率を説明するための特性図である。
【図７】エッジ映り込みについて説明するための模式図である。
【図８】エッジ映り込みについて説明するための模式図である。
【図９】エッジ映り込みが生じた表示映像の一例を表す模式図である。
【図１０】回路映り込みについて説明するための模式図である。
【図１１】外枠に低反射材料、現行材料および高反射材料を用いた場合のエッジ映り込みレベルを表した特性図である。
【図１２】外枠縁部の傾斜面（平面）による作用を説明するための模式図である。
【図１３】外枠縁部に傾斜面（平面）を設けた場合と設けなかった場合のエッジ映り込みのシミュレーション結果である。
【図１４】変形例１に係る液晶表示デバイスの外枠縁部付近の拡大断面図である。
【図１５】図１４に示した液晶表示デバイスのシミュレーションで用いた外枠縁部の構成を説明するための模式図である。
【図１６】外枠縁部に傾斜面（曲面）を設けた場合と設けなかった場合のエッジ映り込みのシミュレーション結果である。
【図１７】変形例２に係る液晶表示デバイスの外枠縁部付近の拡大断面図である。
【図１８】図１７に示した外枠縁部の高さの最適値を説明するための特性図である。
【発明を実施するための形態】
【００１６】
以下、本開示の実施の形態について、図面を参照して詳細に説明する。尚、説明は以下の順序で行う。
１．実施の形態（液晶表示デバイスの外枠縁部に低反射材料を用い、傾斜面（平面）を設けた投射型表示装置の例）
２．変形例１（外枠縁部の傾斜面を曲面とした場合の例）
３．変形例２（外枠縁部を所定の高さ以下に設計した場合の例）
【００１７】
＜実施の形態＞
［構成］
図１は、本開示の一実施の形態に係る投射型表示装置１（投射型表示装置）の概略構成を表したものである。投射型表示装置１は、本開示の液晶表示装置を液晶表示ユニットとして組み込んだプロジェクタとして用いられるものである。投射型表示装置１は、透過型の液晶表示ユニット１０（１０Ｒ，１０Ｇ，１０Ｂ）を３枚用いてカラー映像表示を行ういわゆる３板方式のものである。この投射型表示装置１は、光を発する光源２１１と、一対の第１、第２マルチレンズアレイインテグレータ２１２，２１３と、マルチレンズアレイインテグレータ２１２，２１３の間に設けられ、光路（光軸２１０）を第２マルチレンズアレイインテグレータ２１３側に略９０度曲げるように配置された全反射ミラー２１４とを備えている。マルチレンズアレイインテグレータ２１２，２１３では、それぞれ複数のマイクロレンズ２１２Ｍ，２１３Ｍが２次元的に配列されている。マルチレンズアレイインテグレータ２１２，２１３は、光の照度分布を均一化させるためのものであり、入射した光を複数の小光束に分割する機能を有している。
【００１８】
光源２１１は、カラー画像表示に必要とされる、赤色光、青色光および緑色光を含んだ白色光を発するものである。この光源２１１は、例えば、白色光を発する発光体（図示せず）と、発光体から発せられた光を反射、集光する凹面鏡とを含んでいる。発光体としては、例えば、ハロゲンランプ、メタルハライドランプまたはキセノンランプ等が挙げられる。凹面鏡は、集光効率が良い形状であることが望ましく、例えば回転楕円面鏡や回転放物面鏡等の回転対称な面形状となっている。
【００１９】
この投射型表示装置１は、また、第２マルチレンズアレイインテグレータ２１３の光出射側に、ＰＳ合成素子２１５と、コンデンサレンズ２１６と、ダイクロイックミラー２１７とをこの順に備えている。ダイクロイックミラー２１７は、入射した光を、例えば赤色光ＬＲと、その他の色光とに分離する機能を有している。
【００２０】
ＰＳ合成素子２１５には、第２マルチレンズアレイインテグレータ２１３における隣り合うマイクロレンズ間に対応する位置に、複数の１／２波長板２１５Ａが設けられている。ＰＳ合成素子２１５は、入射した光Ｌ０を２種類（Ｐ偏光成分およびＳ偏光成分）の偏光光Ｌ１，Ｌ２に分離する機能を有している。ＰＳ合成素子２１５は、また、分離された２つの偏光光Ｌ１，Ｌ２のうち、一方の偏光光Ｌ２を、その偏光方向（例えばＰ偏光）を保ったままＰＳ合成素子２１５から出射し、他方の偏光光Ｌ１（例えばＳ偏光成分）を、１／２波長板２１５Ａの作用により、他の偏光成分（例えばＰ偏光成分）に変換して出射する機能を有している。
【００２１】
この投射型表示装置１は、また、ダイクロイックミラー２１７によって分離された赤色光ＬＲの光路に沿って、全反射ミラー２１８と、フィールドレンズ２２４Ｒと、液晶表示ユニット１０Ｒとを順番に備えている。全反射ミラー２１８は、ダイクロイックミラー２１７によって分離された赤色光ＬＲを、液晶表示ユニット１０Ｒに向けて反射するようになっている。液晶表示ユニット１０Ｒは、フィールドレンズ２２４Ｒを介して入射した赤色光ＬＲを、画像信号に応じて空間的に変調する機能を有している。
【００２２】
この投射型表示装置１は、さらに、ダイクロイックミラー２１７によって分離された他の色光の光路に沿って、ダイクロイックミラー２１９を備えている。ダイクロイックミラー２１９は、入射した光を、例えば緑色光と青色光とに分離する機能を有している。
【００２３】
この投射型表示装置１は、また、ダイクロイックミラー２１９によって分離された緑色光ＬＧの光路に沿って、フィールドレンズ２２４Ｇと、液晶表示ユニット１０Ｇとを順番に備えている。液晶表示ユニット１０Ｇは、フィールドレンズ２２４Ｇを介して入射した緑色光ＬＧを、画像信号に応じて空間的に変調する機能を有している。さらに、ダイクロイックミラー２１９によって分離された青色光ＬＢの光路に沿って、リレーレンズ２２０と、全反射ミラー２２１と、リレーレンズ２２２と、全反射ミラー２２３と、フィールドレンズ２２４Ｂと、液晶表示ユニット１０Ｂとを順番に備えている。全反射ミラー２２１は、リレーレンズ２２０を介して入射した青色光ＬＢを、全反射ミラー２２３に向けて反射するようになっている。全反射ミラー２２３は、全反射ミラー２２１によって反射され、リレーレンズ２２２を介して入射した青色光ＬＢを、液晶表示ユニット１０Ｂに向けて反射するようになっている。液晶表示ユニット１０Ｂは、全反射ミラー２２３によって反射され、フィールドレンズ２２４Ｂを介して入射した青色光ＬＢを、画像信号に応じて空間的に変調する機能を有している。
【００２４】
この投射型表示装置１は、また、赤色光ＬＲ、緑色光ＬＧおよび青色光ＬＢの光路が交わる位置に、３つの色光ＬＲ，ＬＧ，ＬＢを合成する機能を有したクロスプリズム２２６を備えている。この投射型表示装置１は、また、クロスプリズム２２６から出射された合成光を、スクリーン２２８に向けて投射するための投射レンズ２２７を備えている。クロスプリズム２２６は、３つの入射面２２６Ｒ，２２６Ｇ，２２６Ｂと、一つの出射面２２６Ｔとを有している。入射面２２６Ｒには、液晶表示ユニット１０Ｒから出射された赤色光ＬＲが、入射面２２６Ｇには、液晶表示ユニット１０Ｇから出射された緑色光ＬＧが、入射面２２６Ｂには、液晶表示ユニット１０Ｂから出射された青色光ＬＢが、それぞれ入射するようになっている。クロスプリズム２２６は、入射面２２６Ｒ，２２６Ｇ，２２６Ｇに入射した３つの色光を合成して出射面２２６Ｔから出射する。
【００２５】
（液晶表示ユニット１０）
図２は、液晶表示ユニット１０Ｒ，１０Ｇ，１０Ｂ（以下、特に色の区別の必要がない場合には、単に「液晶表示ユニット１０」と称す）の要部を分解して表したものである。図３は、液晶表示ユニット１０の断面構成を表したものである。液晶表示ユニット１０は、液晶パネル１１とこれを収納あるいは挟持する、外枠１４（枠体）および見切り板１３を含んでいる。
【００２６】
液晶パネル１１は、いわゆるライトバルブとして機能するものであり、光源２１１からの光を変調して映像に対応する光を出射する有効画素領域１１ａを有している。この液晶パネル１１は、一対のガラス板１１１Ａ，１１１Ｂの間に液晶（図示せず）を封止したものである。この液晶パネル１１には、フィルム基板１１０が接続されており、フィルム基板１１０を通じて、入射光の変調に必要な映像情報が投射型表示装置１の本体側から供給される。この液晶パネル１１の光入射側には、入射側防塵ガラス１２Ａ、光出射側には、出射側防塵ガラス１２Ｂがそれぞれ貼り合わせられている。見切り板１３は、液晶パネル１１の入射面側に装着され、その有効画素領域１１ａに対向して開口（窓部）１４ａを有する。外枠１４は、液晶パネル１１の光出射側に取り付けられ、液晶パネル１１の端面部を囲む枠形状を有する。
【００２７】
（外枠１４）
図４は、液晶表示ユニット１０の要部の断面構成を表したものである。図５は、外枠縁部付近を拡大したものである。本実施の形態では、外枠１４の開口１４ａの縁部１４ｅが、液晶パネル１１を臨む（液晶パネル１１に面した）傾斜面Ｓ１を有している。傾斜面Ｓ１は、液晶パネル１１の光出射面（詳細には、出射側防塵ガラス１２Ｂの光出射面Ｓａ）に対して非平行かつ非直交となる面であり、投射レンズ２２７に非対向となる（面しない）面である。ここでは、傾斜面Ｓ１は、そのような面の一例として、光出射面Ｓａの垂線から角度θをなす方向に沿って延在する平面となっている。縁部１４ｅの高さＨは、望ましくは、後述の変形例（変形例２）のように、８０μｍ以下である。また、角度θは、例えば０〜９０°の鋭角である。
【００２８】
この外枠１４は、その製造プロセスに由来して、外枠１４の縁部１４ｅには、光出射側にも傾斜面Ｓ１０が形成される。縁部１４ｅの高さＨとは、縁部１４ｅにおいて開口１４ａの内側に向かって突き出した部分（屈曲部１４ｅ１）と、光出射面Ｓａとの間の距離に相当する。ここでは、この縁部１４ｅの高さＨが、傾斜面Ｓ１の高さに等しくなっている。
【００２９】
本実施の形態では、このような外枠１４の少なくとも縁部１４ｅが、低反射材料から構成されている。低反射材料としては、緑色光（波長４９５ｎｍ〜５７０ｎｍ）に対する反射率が１．５％未満となる材料が選択される。ここで、図６に、一般的に使用されている外枠材料の緑色光を含む波長に対する反射率（％）の関係を示す。本実施の形態では、外枠１４の少なくとも縁部１４ｅに、現行の緑色光に対する反射率（約１．５％）未満となるような低反射材料が用いられる。尚、本明細書において「反射率」とは、光（上記緑色光）が真空中より物体表面に垂直に入射したときの反射光のエネルギーと入射光のエネルギーとの比（反射光のエネルギー／入射光のエネルギー）を百分率で表したものである。
【００３０】
具体的には、外枠１４の構成材料としては、例えばアルミニウム（Ａｌ）、銀（Ａｇ）、マグネシウム（Ｍｇ）またはチタン（Ｔｉ）等の金属単体または合金が挙げられる。外枠１４は、そのような金属材料を上述の手法により外枠の形状に成形した後、縁部１４ｅの傾斜面Ｓ１を、上述したような反射率を有する低反射率材料よりなる薄膜により覆ってもよい。薄膜の形成方法としては、例えばクロム（Ｃｒ）等を、例えばめっき加工により成膜することができる。あるいは、傾斜面Ｓ１に、例えばアルマイト等の化学的処理を行ってもよい。更には、傾斜面Ｓ１に、黒色または灰色のアクリル樹脂等を塗装してもよいし、黒色または灰色のアクリル樹脂等からなるフィルムを貼合してもよい。あるいは、外枠１４そのものが、低反射率材料から構成されていてもよい。
【００３１】
［作用・効果］
上記のような投射型表示装置１の作用および効果について、図７〜図１３を参照して説明する。
【００３２】
投射型表示装置１では、光源２１１から発せられた白色光に基づく赤色光ＬＲ，緑色光ＬＧおよび青色光ＬＢが、それぞれ対応する液晶表示ユニット１０Ｒ，１０Ｇ，１０Ｂにおいて変調される。この後、各液晶表示ユニット１０Ｒ，１０Ｇ，１０Ｂから、映像に対応する色光が出射され、これらがクロスプリズム２２６において合成された後、投射レンズ２２７によって、スクリーン２２８に拡大投射される。このようにして映像表示がなされる。
【００３３】
ここで、本実施の形態の比較例に係る外枠（外枠１０４）に起因する、エッジ映り込み現象について、図７（Ａ）〜（Ｃ）を用いて説明する。図７（Ａ）に示したように、外枠１０４は、液晶パネル１１の有効画素領域１１ａに対向して開口１０４ａを有するが、この外枠１０４の端部１０４ｅと有効画素領域１１ａとの間の距離ｄが小さいと、図７（Ｂ），（Ｃ）に示したように、端部１０４ｅにおける反射光に起因する映像Ｘ１が投射映像Ｐの周辺部に映り込む現象が生じる。これは、次のような理由による。即ち、図８に示したように、入射光Ｌが液晶パネル１１の光入射面の垂線から傾いて入射する光を含んでいることから、例えば有効画素領域１１ａの端部に配置された画素の通過光の一部が、端部１０４ｅによって反射される。この反射光Ｌ100が、投射レンズ２２７へ入射すると、例えば図９に示したように、投射映像Ｐの端部付近が反転した映像Ｘ１が投射されてしまう。
【００３４】
一方、上記のようなエッジ映り込み現象を回避するために、図８（Ａ）に示したように、端部１０４ｅと有効画素領域１１ａとの間の距離ｄを大きく確保することが考えられる。ところが、この場合には、図８（Ｂ），（Ｃ）に示したように、回路映り込み現象が生じる。これは、次のような理由による。即ち、入射光Ｌの一部が液晶パネル１１を一度出射した後に再び戻ってくる光（戻り光）が生じる。ここで、液晶パネル１１には、有効画素領域の周辺領域に画素を駆動するための回路部１１２が配設されるが、距離ｄが大きいと、この回路部１１２が外枠１０４から露出し、上記のような戻り光が回路部１１２に照射される。これによって、回路部１１２の画像Ｘ２が投射映像Ｐの周辺部に投射されてしまう。
【００３５】
これに対し、本実施の形態では、まず、外枠１４の少なくとも縁部１４ｅ（傾斜面Ｓ１）が、上述したような低反射材料からなることにより、縁部１４ｅと有効画素領域１１ａとの間の距離ｄを狭めた場合であっても、エッジ映り込み現象を抑制することができる。図１１に、本実施の形態の実施例として、低反射材料（緑色光の反射率が１．５％未満の材料）を用いた場合（図中Ａで囲まれた部分）、現行材料（緑色光の反射率が１．５％の材料）を用いた場合、高反射材料（緑色光の反射率が５％の材料）を用いた場合のそれぞれのエッジ映り込みレベルの官能評価結果を示す。尚、横軸には、距離ｄ（ｍｍ）を示している。このように、低反射材料（緑色光に対する反射率１．５％未満の材料）を用いた本実施の形態では、エッジ映り込みレベルが低く、縁部１４ｅの反射光に起因する画質劣化が抑制されることがわかる。また、これにより、回路映り込みを生じることなく、外枠１４の幅あるいは開口１４ａの寸法を狭めることができ、設計レイアウトの自由度が向上する、というメリットもある。
【００３６】
また、本実施の形態では、外枠１４の縁部１４ｅが、所定の角度θで傾斜する傾斜面Ｓ１（平面）を有していることにより、次のようなメリットを有する。即ち、図１２に示したように、液晶パネル１１の有効画素領域１１ａから出射された光の一部が、外枠１４の縁部１４ｅに入射すると、その入射光は、傾斜面Ｓ１において、その光路を大きく変換されて反射される。これにより、傾斜面Ｓ１における反射光Ｌ１は、投射レンズ２２７に入射しにくくなる。図１３（Ａ）に、縁部１４ｅが傾斜なしの場合（θ＝０°の場合）の投射映像のシミュレーション結果、図１３（Ｂ）に、縁部１４ｅが傾斜面Ｓ１を有する場合（θ＝５°の場合）の投射映像のシミュレーション結果をそれぞれ示す。傾斜面Ｓ１を有する場合の方が、エッジ映り込みが軽減されていることがわかる。
【００３７】
以上説明したように、本実施の形態では、液晶パネル１１の光出射側に設けられた外枠１４の開口１４ａの縁部１４ｅが、緑色光に対して１．５％以下の反射率を有する低反射材料からなることにより、液晶パネル１１の出射光のうち外枠１４の縁部１４ｅにおける反射光が低減され、この反射光に起因する投射映像への映り込みを軽減できる。
【００３８】
また、外枠１４の縁部１４ｅが、液晶パネル１１の光出射面を臨む傾斜面Ｓ１を有することにより、液晶パネル１１の出射光のうち外枠１４の縁部１４ｅにおける反射光の光路が変換され、この反射光に起因する投射映像への映り込みを軽減できる。
【００３９】
従って、液晶パネル１１の光出射側に設けられた外枠１４に起因する画質劣化の発生を抑制することが可能となる。
【００４０】
次に、上記実施の形態の液晶表示ユニット１０における外枠１４の変形例（変形例１，２）について説明する。以下で説明する外枠１４も、上記実施の形態の液晶パネル１１に装着され、投射型表示装置１の構成要素と同様の構成要素については同一の符号を付し、適宜説明を省略する。
【００４１】
＜変形例１＞
図１４は、変形例１に係る外枠１４付近の断面拡大図である。本変形例のように、外枠１４の縁部１４ｅは、曲面からなる傾斜面Ｓ２を有していてもよい。傾斜面Ｓ２は、縁部１４ｅの一部（高さｒに対応する部分）に曲率Ｒが付されたものであり、屈曲部１４ｅ１の入射側の一部（ｒ＜Ｈ）に形成されていてもよいし、屈曲部１４ｅ１の入射側の全域（ｒ＝Ｈ）に形成されていてもよい。この場合にも、上記実施の形態の傾斜面Ｓ１（平面）と同様、液晶パネル１１側から入射した光を、光路を大きく変換しつつ反射させることができるので、上記実施の形態と同様の効果を得ることができる。
【００４２】
このような傾斜面Ｓ２を有する外枠１４と、曲率を有さない外枠１０４とのそれぞれのエッジ映り込みレベルをシミュレーションにより測定した。尚、外枠１０４としては、図１５（Ａ）に示したように、屈曲部１０４ｅ１までの高さＨを０．２とし、外枠１４としては、図１５（Ｂ）に示したように、屈曲部１０４ｅ１までの高さＨを０．２とし、曲面Ｓ２の高さｒを０．１とした。図１６（Ａ）に、曲率なしの場合のエッジ映り込みレベルのシミュレーション結果、図１６（Ｂ）に、傾斜面Ｓ２を設けた場合のエッジ映り込みレベルのシミュレーション結果をそれぞれ示す。傾斜面Ｓ２を有する場合の方が、エッジ映り込みが軽減されていることがわかる。
【００４３】
＜変形例２＞
図１７は、変形例２に係る外枠１４付近の断面拡大図である。本変形例のように、外枠１４の縁部１４ｅは、上述したような平面または曲面からなる傾斜面（Ｓ１，Ｓ２）を有していなくとも、縁部１４ｅの高さＨが十分に小さな値、例えば８０μｍ以下（Ｈ＝ｈ＜８０μｍ）であれば、上記実施の形態とほぼ同等の効果を得ることができる。
【００４４】
図１８には、図１７に示した外枠１４における距離ｄと高さｈを変化させた場合のエッジ映り込みの官能評価結果を示す。評価としては、Ａ，Ａ−，Ｂ＋，Ｂ，Ｃ＋，Ｃ，Ｄ＋の７段階（ランク）とし、Ａランクが映り込みレベルが最も高い（画質劣化大）評価、Ｄ＋ランクが映り込みレベルが最も低い（画質劣化小）評価となっている。ここで、一般に、回路映り込みが許容される距離ｄは０．２６ｍｍとされている。また、現行の外枠１０４の高さＨは、例えば０．１２ｍｍである。このため、現状では、エッジ映り込みレベルがＣ＋ランク（図中のＢ100参照）となり、許容限界にある。これに対し、高さＨ＝ｈ＝８０μｍ（０．０８ｍｍ）とすることにより、映り込みレベルがＤ＋ランク（図中のＢ参照）となり、視認できないレベルにまで落とすことができる。また、８０μｍ以下とすることで、例えば、距離ｄを更に０．１８ｍｍまで狭めたとしても、映り込みレベルをＣランクに保つことができ、現行よりも画質改善が期待できる。
【００４５】
以上、実施の形態および変形例を挙げて本開示を説明したが、本開示はこれらの実施の形態等に限定されず、種々の変形が可能である。例えば、上記実施の形態では、外枠１４において、低反射率材料からなり、かつ傾斜面（Ｓ１，Ｓ２）を有する縁部１４ｅを例示したが、必ずしもそれらの両方を兼ね備えている必要はない。即ち、縁部１４ｅが傾斜面を有さなくとも、低反射率材料から構成されていれば、本開示の第１の液晶表示装置および第１の投射型表示装置の効果を得ることができる。また、縁部１４ｅが低反射材料から構成されていなくとも、傾斜面Ｓ１を有していれば、本開示の第２の液晶表示装置および第２の投射型表示装置の効果を得ることができる。
【００４６】
また、上記実施の形態等では、本開示の液晶表示装置として、透過型の液晶表示ユニットを例示したが、本開示の液晶表示装置これに限定されず、例えばＬＣＯＳ（Liquid Crystal On Silicon）等の反射型の液晶表示ユニットであってもよい。
【００４７】
更に、本開示の投射型表示装置は、上記実施の形態において説明した構成のものに限定されず、光源からの光を液晶表示ユニットを介して変調し、投射レンズを用いて映像表示するタイプの様々な表示装置に適用可能である。
【００４８】
尚、本開示内容は以下のような構成であってもよい。
（１）
映像に対応する光を出射する有効画素領域を含む液晶パネルと、
前記液晶パネルの光出射側に設けられると共に、前記液晶パネルの前記有効画素領域に対向して開口を有する枠体とを備え、
前記枠体の前記開口の縁部は、緑色光に対して１．５％未満の反射率を有する低反射材料からなる
液晶表示装置。
（２）
前記枠体の前記縁部は、前記液晶パネルの光出射面を臨む傾斜面を有する
上記（１）に記載の液晶表示装置。
（３）
前記傾斜面は、前記光出射面の垂線に対して鋭角を成す平面である
上記（２）に記載の液晶表示装置。
（４）
前記傾斜面は曲面である
上記（２）に記載の液晶表示装置。
（５）
前記枠体のうちの少なくとも前記縁部は、前記低反射率材料からなる薄膜により覆われている
上記（１）〜（４）のいずれかに記載の液晶表示装置。
（６）
前記枠体は、前記低反射材料から構成されている
上記（１）〜（５）のいずれかに記載の液晶表示装置。
（７）
前記枠体の前記縁部の高さが、８０μｍ以下である
上記（１）〜（６）のいずれかに記載の液晶表示装置。
（８）
前記液晶パネルは透過型である
上記（１）〜（７）のいずれかに記載の液晶表示装置。
（９）
映像に対応する光を出射する有効画素領域を含む液晶パネルと、
前記液晶パネルの光出射側に設けられると共に、前記液晶パネルの前記有効画素領域に対向して開口を有する枠体とを備え、
前記枠体の前記開口の縁部は、前記液晶パネルの光出射面を臨む傾斜面を有する
液晶表示装置。
（１０）
前記傾斜面は、前記光出射面の垂線に対して鋭角を成す平面である
上記（９）に記載の液晶表示装置。
（１１）
前記傾斜面は曲面である
上記（９）に記載の液晶表示装置。
（１２）
光源と、
前記光源からの光を変調して映像に対応する光を出射する有効画素領域を含む液晶パネルと、
前記液晶パネルの光出射側に設けられると共に、前記液晶パネルの前記有効画素領域に対向して開口を有する枠体と、
前記液晶パネルの出射光に基づいて前記映像を投射する投射レンズとを備え、
前記枠体の前記開口の縁部は、緑色光に対して１．５％未満の反射率を有する低反射材料からなる
投射型表示装置。
（１３）
光源と、
前記光源からの光を変調して映像に対応する光を出射する有効画素領域を含む液晶パネルと、
前記液晶パネルの光出射側に設けられると共に、前記液晶パネルの前記有効画素領域に対向して開口を有する枠体と、
前記液晶パネルの出射光に基づいて前記映像を投射する投射レンズとを備え、
前記枠体の前記開口の縁部は、前記液晶パネルの光出射面を臨む傾斜面を有する
投射型表示装置。
【符号の説明】
【００４９】
１…投射型表示装置、１０（１０Ｒ，１０Ｇ，１０Ｂ）…液晶表示ユニット、１１…液晶パネル、１１ａ…有効画素領域、１２Ａ…入射側防塵ガラス、１２Ｂ…出射側防塵ガラス、１３…見切り板、１４…外枠、１４ａ…開口、１４ｅ…縁部、１４ｅ１…屈曲部、２１１…光源、２２７…投射レンズ、２２８…、Ｓ１…傾斜面（平面）、Ｓ２…傾斜面（局面）、Ｈ，ｈ…高さ。
【図１】
2014102410.tif 000003
【図２】
2014102410.tif 000004
【図３】
2014102410.tif 000005
【図４】
2014102410.tif 000006
【図５】
2014102410.tif 000007
【図６】
2014102410.tif 000008
【図７】
2014102410.tif 000009
【図８】
2014102410.tif 000010
【図９】
2014102410.tif 000011
【図１０】
2014102410.tif 000012
【図１１】
2014102410.tif 000013
【図１２】
2014102410.tif 000014
【図１３】
2014102410.tif 000015
【図１４】
2014102410.tif 000016
【図１５】
2014102410.tif 000017
【図１６】
2014102410.tif 000018
【図１７】
2014102410.tif 000019
【図１８】
2014102410.tif 000020